(57)【要約】【課題】【解決手段】ユーザ・デバイス内で高速セル選択の実行を容易とするシステムおよび方法が説明される。ここでは、ユーザ・デバイスは、無線ネットワークとの通信の間、仮想アクティブ・セット（ＶＡＳ）中のセクタのリストからサービング・セクタを選択することができる。サービング・セクタは、ユーザ・デバイスがアップリンクの伝送に使用するスクランブル符号を持つ公称セクタとは別のものとすることができる。ユーザ・デバイス用のＶＡＳ中にリストされたすべてのセクタは、このスクランブル符号を知ることができる。このようにして、ユーザ・デバイスが置かれているカバレッジ・エリアにあるすべてのセクタは、ユーザ・デバイスのＶＡＳに含めることができ、ユーザ・デバイスからの伝送を受信および復調することができる。【選択図】      図４
2009506684.tif 000002
【特許請求の範囲】
【請求項１】
無線通信環境においてユーザ・デバイス用のサービング・セクタを選択する方法であって、
ユーザ・デバイスからの伝送信号の受信および復調を試みるセクタのリストを備える仮想アクティブ・セット（virtual active set：ＶＡＳ）を前記ユーザ・デバイス内に生成することと、
前記ＶＡＳ中の前記セクタのリストから１つのセクタをサービング・セクタとして選択することと、
を備える方法。
【請求項２】
前記ユーザ・デバイスからの信号の伝送のため、前記ＶＡＳの公称セクタからリソース割り当てを受信する前記ユーザ・デバイスをさらに備える、請求項１に記載の方法。
【請求項３】
前記ユーザ・デバイスは、信号を送信し、前記リソース割り当てに関連するタイムスロットの間、前記リソース割り当てに関連するスクランブル符号を使用することをさらに備える、請求項２に記載の方法。
【請求項４】
前記ユーザ・デバイスからの伝送の受信および復調を試みるため、アドバンスト・マルチユーザ検出（advanced multi-user detection：ＡＭＵＤ）セクタ技術を使用することをさらに備える、請求項３に記載の方法。
【請求項５】
前記ユーザ・デバイスによって使用される前記公称セクタのスクランブル符号を、前記ユーザ・デバイスのＶＡＳ中にリストされた他のすべてのセクタに提供することをさらに備える、請求項４に記載の方法。
【請求項６】
前記ユーザ・デバイスのＶＡＳ中にリストされた他のすべてのセクタに、前記ユーザ・デバイスに割り当てられたリソースに関連する情報を提供することをさらに備える、請求項５に記載の方法。
【請求項７】
信号を送信するために、前記ユーザ・デバイスによって使用される前記スクランブル符号および割り当てられたリソースの知見に少なくとも部分的に基づいて、前記ユーザ・デバイスのＶＡＳ中のすべてのセクタが、前記ユーザ・デバイスからの伝送の受信および復調を試みることを可能にすることをさらに備える、請求項６に記載の方法。
【請求項８】
前記リソースは、伝送チャネルおよび伝送用のタイムスロットを備える、請求項７に記載の方法。
【請求項９】
前記ユーザ・デバイスのＶＡＳにリストされた各セクタのビーコン信号の強度を評価することと、最も強いビーコン信号を判定することとをさらに備える、請求項１に記載の方法。
【請求項１０】
前記最も強いビーコン信号を有する前記セクタを前記サービング・セクタとして選択することをさらに備える、請求項９に記載の方法。
【請求項１１】
ダウンリンク・データ伝送および制御チャネル伝送に前記サービング・セクタを使用することをさらに備える、請求項１０に記載の方法。
【請求項１２】
前記ユーザ・デバイスからの伝送の受信および復調を試みる１または複数の新しいセクタが検出されると、前記ＶＡＳを更新することをさらに備える、請求項９に記載の方法。
【請求項１３】
前記ユーザ・デバイスが前記新しいセクタ内に移動すると、前記新しいセクタが前記ユーザ・デバイスからの伝送の受信および復調を試みる、請求項１２に記載の方法。
【請求項１４】
前記無線通信環境は、ＴＤＤ  ＵＭＴＳ無線通信環境である、請求項１に記載の方法。
【請求項１５】
前記無線通信環境は、ＯＦＤＭＡ無線通信環境、およびＳＣ−ＦＤＭＡ無線通信環境のうちの少なくとも１つである、請求項１に記載の方法。
【請求項１６】
無線通信環境において高速セル選択を容易にする、ユーザ・デバイス中の装置であって、
前記ユーザ・デバイスからの伝送の復調を試みているセクタのリストを格納するメモリと、
ＶＡＳに関連する情報を分析し、前記ＶＡＳからサービング・セクタを選択する、前記メモリに結合されたプロセッサと、
を備える装置。
【請求項１７】
前記セクタのリストは、前記ユーザ・デバイスからの伝送のため、通信リソースおよびユニークなスクランブル符号を前記ユーザ・デバイスに割り当てる公称セクタを備える、請求項１６に記載の装置。
【請求項１８】
前記セクタのリストのすべてのセクタが、前記ユーザ・デバイスからの伝送の受信および復調を試みることができるように、前記セクタのリスト中のすべてのセクタは、前記ユーザ・デバイスに使用される前記スクランブル符号、および前記ユーザ・デバイスからの送信に使用されるリソースを知っている、請求項１７に記載の装置。
【請求項１９】
前記セクタのリスト中の各セクタに関連付けられたビーコン・チャネルの信号対干渉雑音比（signal-to-interference-noise ration：ＳＩＮＲ）を評価するビーコン・チャネル・アナライザをさらに備える、請求項１６に記載の装置。
【請求項２０】
最も高いビーコン・チャネルＳＩＮＲを判定するセクタ・セレクタをさらに備える、請求項１９に記載の装置。
【請求項２１】
前記プロセッサは、前記セクタ・セレクタによって示される前記最も高いビーコン・チャネルＳＩＮＲに基づいて、前記サービング・セクタを選択する、請求項２０に記載の装置。
【請求項２２】
前記ユーザ・デバイスは、公称セクタに関連付けられたユニークなスクランブル符号を使用してアップリンクで送信し、前記スクランブル符号は、前記セクタのリストの中のすべてのセクタが前記ユーザ・デバイスからの伝送の復調を試みることができるように、このようなセクタに知られている、請求項２１に記載の装置。
【請求項２３】
前記プロセッサは、前記ユーザ・デバイスがセクタのカバレッジ・エリアに入るおよび／または出ると、前記メモリに格納されている前記セクタのリストを更新する、請求項１６に記載の装置。
【請求項２４】
前記ユーザ・デバイスは、セル式電話、スマートフォン、ラップトップ、ＰＤＡ，ハンドヘルド通信機器、ハンドヘルド計算器、衛星ラジオ、および全地球測位システムのうち少なくとも１つである、請求項１６に記載の装置。
【請求項２５】
前記ユーザ・デバイスは、前記ユーザ・デバイスの前記セクタのリストにリストされたすべてのセクタから電力制御コマンド、およびレート制御コマンドを受信する、請求項１６に記載の装置。
【請求項２６】
前記無線通信環境は、ＴＤＤ  ＵＭＴＳ無線通信環境である、請求項１６に記載の装置。
【請求項２７】
前記無線通信環境は、ＯＦＤＭＡ無線通信環境、およびＳＣ−ＦＤＭＡ無線通信環境のうちの少なくとも１つである、請求項１６に記載の装置。
【請求項２８】
無線通信環境において高速セル選択を容易にするユーザ・デバイス内の装置であって、
前記ユーザ・デバイスとの通信ができるセクタのリストを備える仮想アクティブ・セット（ＶＡＳ）を前記ユーザ・デバイス用に生成する手段と、
前記ユーザ・デバイスが複数のセクタ・カバレッジ・エリアを横断すると前記ＶＡＳを更新する手段と、
最も高いビーコン・チャネルＳＩＮＲを有するセクタをサービング・セクタとして動的に選択する手段と、
を備える装置。
【請求項２９】
前記ＶＡＳ中の各セクタの前記ビーコン・チャネルＳＩＮＲを分析し、前記最も高いビーコン・チャネルＳＩＮＲを有する前記セクタを判定する手段をさらに備える、請求項２８に記載の装置。
【請求項３０】
ユーザ・デバイスがセクタの基地局の前記カバレッジ・エリア内にあるとき、前記セクタは前記ユーザ・デバイスとの通信を行うことができる、請求項２９に記載の装置。
【請求項３１】
前記ＶＡＳを更新する手段は、前記ユーザ・デバイスがセクタ・カバレッジ・エリアを横断すると、セクタを追加および削除する、請求項３０に記載の装置。
【請求項３２】
前記ユーザ・デバイスによって使用されるスクランブル符号、および前記ユーザ・デバイスが前記スクランブル符号とともに通信信号を送信する間のタイムスロットに関連する情報を前記ＶＡＳにリストされているすべてのセクタに提供する手段をさらに備える、請求項３１に記載の装置。
【請求項３３】
前記無線通信環境は、ＴＤＤ  ＵＭＴＳ無線通信環境である、請求項２８に記載の装置。
【請求項３４】
前記無線通信環境は、ＯＦＤＭＡ無線通信環境、およびＳＣ−ＦＤＭＡ無線通信環境のうちの少なくとも１つである、請求項２８に記載の装置。
【請求項３５】
ユーザ・デバイスが配置されているセクタのリストを生成し、
前記ユーザ・デバイスがセクタを横断すると、前記セクタのリストを更新し、
前記セクタのリストにリストされた各セクタのビーコン・チャネルＳＩＮＲを監視し、
ユーザ・デバイスに送信されるデータおよび制御コマンドが通過するサービング・セクタとして、セクタのリストから最も高いＳＩＮＲを有するセクタを選択する、
コンピュータ実行可能命令を格納する、コンピュータ可読媒体。
【請求項３６】
前記セクタのリストのすべてのセクタが、前記ユーザ・デバイスからの伝送を受信して変調できるように、前記ユーザ・デバイスからの伝送の間、前記ユーザ・デバイスに使用されるスクランブル符号に関連する情報を、前記セクタのリスト中のすべてのセクタにコントローラを介して提供する命令をさらに備える、請求項３５に記載のコンピュータ可読媒体。
【請求項３７】
前記ユーザ・デバイスが異なるセクタ・カバレッジ・エリアに出入りすると、前記セクタのリストを更新する命令をさらに備える、請求項３６に記載のコンピュータ可読媒体。
【請求項３８】
前記セクタのリスト中のセクタが現在のサービング・セクタよりも高いビーコン・チャネルＳＩＮＲを有していると判定されたとき、新しいサービング・セクタを選択する命令をさらに備える、請求項３７に記載のコンピュータ可読媒体。
【請求項３９】
前記無線通信環境は、ＴＤＤ  ＵＭＴＳ無線通信環境である、請求項３５に記載のコンピュータ可読媒体。
【請求項４０】
前記無線通信環境は、ＯＦＤＭＡ無線通信環境およびＳＣ−ＦＤＭＡ無線通信環境のうちの少なくとも１つである、請求項３５に記載のコンピュータ可読媒体。
【請求項４１】
通信環境において高速セル選択を行う命令を実行するプロセッサであって、前記命令は、
ユーザ・デバイスが位置するセクタの識別情報を備えるセクタ・リストを生成することと、
前記ユーザ・デバイスがセクタを横断すると、前記セクタのリストを更新することと、
前記セクタのリストにリストされた各セクタのビーコン・チャネルＳＩＮＲを監視することと、
前記ユーザ・デバイスに送信されるデータおよび制御コマンドが送信されるサービング・セクタとして、前記セクタのリストから最も高いＳＩＮＲを有するセクタを選択することと、
を備える命令である、プロセッサ。
【請求項４２】
前記セクタ・リストのすべてのセクタが前記ユーザ・デバイスからの伝送を受信して変調できるように、前記ユーザ・デバイスからの伝送の間、前記ユーザ・デバイスに使用されるスクランブル符号に関連する情報を、前記セクタ・リスト中のすべてのセクタにコントローラを介して提供する命令をさらに備える、請求項４１に記載のプロセッサ。
【請求項４３】
前記ユーザ・デバイスが異なるセクタ・カバレッジ・エリアに出入りすると、前記セクタ・リストを更新する命令をさらに備える、請求項４２に記載のプロセッサ。
【請求項４４】
前記セクタ・リスト中のセクタが現在のサービング・セクタよりも高いビーコン・チャネルＳＩＮＲを有していると判定されたとき、新しいサービング・セクタを選択する命令をさらに備える、請求項４３に記載のプロセッサ。
【請求項４５】
前記無線通信環境は、ＴＤＤ  ＵＭＴＳ無線通信環境である、請求項４１に記載のプロセッサ。
【請求項４６】
前記無線通信環境は、ＯＦＤＭＡ無線通信環境、およびＳＣ−ＦＤＭＡ無線通信環境のうちの少なくとも１つである、請求項４１に記載のプロセッサ。
【請求項４７】
無線ネットワークでの通信を容易とする移動デバイスであって、
前記移動デバイスが位置するセクタのリストを備える仮想アクティブ・セット（ＶＡＳ）を生成し、前記移動デバイスが複数のセクタを横断すると前記ＶＡＳを更新し、前記ユーザ・デバイスからの伝送用にユーザ・デバイスによって使用されるユニークなスクランブル符号を有する公称セクタを前記ＶＡＳに含むプロセッサと、
前記ＶＡＳを格納するメモリと、
前記ＶＡＳ中の各セクタからビーコン・チャネルの強さを評価し、このような情報を前記プロセッサに提供するビーコン・チャネルＳＩＮＲアナライザと、
を備え、
前記プロセッサは、前記ＶＡＳ中の最も強いビーコン・チャネルを有するセクタを、前記ユーザ・デバイスへのデータ伝送用のサービング・セクタとして選択する移動デバイス。
【請求項４８】
前記デバイスは、セル式電話、スマートフォン、ラップトップ、ＰＤＡ，ハンドヘルド通信機器、衛星ラジオ、ハンドヘルド計算器、全地球測位システムのうち少なくとも１つである、請求項４７に記載の移動デバイス。
【請求項４９】
前記無線通信ネットワークは、ＴＤＤ  ＵＭＴＳ無線通信プロトコルを使用する、請求項４７に記載の移動デバイス。
【請求項５０】
前記無線ネットワークは、ＯＦＤＭＡ無線通信プロトコルおよびＳＣ−ＦＤＭＡ無線通信プロトコルのうちの少なくとも１つを使用する、請求項４７に記載の移動デバイス。
【発明の詳細な説明】
【技術分野】
【０００１】
本願明細書は、一般的に無線通信に関し、特にユニバーサル移動通信システム無線環境における高速セル選択の提供に関する。
【０００２】
（米国特許法１１９条による優先権の主張）  
本特許出願は、２００５年８月２５日に出願され、本願発明の譲渡人に譲渡された、発明の名称を「ＴＤ−ＣＤＭＡ（ＵＭＴＳ  ＴＤＤ）における高速セル選択（FAST CELL SELECTIN IN TD-CDMA (UMTS TDD)）」とする米国仮特許出願第６０／７１１，９８９号の優先権を主張するものであり、その内容は本願明細書中に、参照によって明確に援用される。
【０００３】
（同時係属中の特許出願の引用）
本特許出願は、以下の同時係属中の米国特許出願に関連する。
【０００４】
本願発明と同時に出願され、本願発明の譲渡人に譲渡され、その内容を本願明細書中で特に参照として援用する、代理人整理番号０５０４９２の「効率的なアップリンク電力およびレート制御のためのＵＭＴＳ  ＴＤＤシステムにおけるアップリンク・ソフトハンドオフのサポート（UPLINK SOFT HANDOFF SUPPORT IN UMTS TDD SYSTEMS FOR EFFICIENT UPLINK POWER AND RATE CONTROL）」および
本願発明と同時に出願され、本願発明の譲渡人に譲渡され、その内容を本願明細書中で特に参照として援用する、代理人整理番号０５０４４６の「支配的干渉による妨害効果を解消するためＴＤ−ＣＤＭＡスロットの間にスクランブル／ＯＶＳＦ符号を変更する方法（VARYING SCRAMBLING/OVSF CODES WITHIN A TD-CDMA SLOT TO OVERCOME JAMMING EFFECT BY A DOMINANT INTERFERER）」。
【背景技術】
【０００５】
無線通信システムは、普及している手段であり、世界中の多くの人々がこの手段を使用して通信をするようになっている。無線通信デバイスは、消費者のニーズを満たし、携帯性および利便性を向上させるため、さらに小型で高性能になっている。携帯電話のような移動デバイスの処理能力が向上したことで、無線ネットワーク伝送システムに対する需要が増してきている。このようなシステムは一般的に、これらのシステムを介して通信をするセル式デバイスのように簡単に更新できない。移動デバイスの機能が拡張するにつれ、新しく改良された無線デバイスの機能を容易にフル活用するような形で旧式の無線通信システムを維持することは難しい場合がある。
【０００６】
特に、周波数分割に基づく技術では、一般にスペクトルを均一量の帯域に分割することによってスペクトルを別のチャネルに分ける。例えば、無線通信用に割り当てられた周波数帯域の分割は３０チャネルに分けることができる。各チャネルは音声会話を搬送でき、デジタル・サービスではデジタル・データを搬送できる。各チャネルには、１度に１ユーザにしか割り当てることができない。周知の別の技術の１つに、システムの全帯域幅を多数の直交サブバンドへ効果的に分割する直交周波数分割技術がある。これらのサブバンドは、トーン、キャリア、サブキャリア、ビン、および／または周波数チャネルとも称される。各サブバンドは、データとともに変調することができるサブキャリアに関連付けられる。時分割に基づく技術では、帯域は時間的にシーケンシャルなタイム・スライスまたはタイムスロットに分割される。チャネルの各ユーザには、ラウンドロビン方式で情報を送受信するタイム・スライスが提供される。例えば、任意の時間ｔに、ショートバースト用のチャネルへのアクセスがユーザに提供される。次いで、アクセスは情報を送受信するためにショートバースト時間が提供されている他のユーザに切り替わる。この「交代」のサイクルが続き、最終的に各ユーザに多数の送受信バーストが提供される。
【０００７】
符号分割に基づく技術では、一般に１つの領域において任意の時に利用可能な複数の周波数にてデータを送信する。一般的に、データはデジタル化され、利用可能な帯域幅で拡散される。ここで多数のユーザをチャネル上で重ねることができ、それぞれのユーザにユニークなシーケンス符号を割り当てることができる。ユーザは、同じ広帯域のスペクトルの量において送信することができ、各ユーザの信号は、それぞれユニークな拡散符号によって帯域全体に拡散される。この技術は、１人または複数のユーザが同時に送受信できる共有に対応できる。このような共有は、スペクトラム拡散デジタル変調によって実現される。スペクトラム拡散デジタル変調では、ユーザのビット・ストリームが符号化され、疑似乱数式に非常に広いチャネルを通って拡散される。受信器は、関連するユニークな連続符号を認識し、コヒーレントな方法で特定のユーザのビットを集めるために乱数化を復元するように設計されている。
【０００８】
（例えば、周波数分割、時分割、および符号分割技術を使用する）典型的な無線通信ネットワークには、カバレッジ・エリアを提供する１または複数の基地局およびカバレッジ・エリア内でデータの送受信ができる１または複数の移動（例えば、無線）端末が含まれる。典型的な基地局は、ブロードキャスト、マルチキャスト、および／またはユニキャスト・サービス用の多数のデータ・ストリームを同時に送信することができる。ここでのデータ・ストリームは１つの移動端末にとって、個別に関心がある受信とすることができる。基地局のカバレッジ・エリア内の移動端末は、複合ストリームによって搬送される１つ、２つ以上、またはすべてのデータ・ストリームに注目することができる。同様にして、移動端末は、基地局または他の移動端末にデータを送信することができる。基地局と移動端末との間、または移動端末間のこのような通信は、チャネルの変化および／または干渉電力の変化によって品位が劣化することがある。例えば、上記の変化は、基地局の１または複数の移動端末に対するスケジューリング、電力制御、および／またはレート予測に影響が及ぶことがある。
【０００９】
従来のＵＭＴＳ  ＴＤＤシステムの多くは、３Ｇパケット・データ・ネットワークで非常に望まれている機能である高速セル選択（Fast Cell Selection：ＦＣＳ）に対応していない。したがって、このような無線ネットワーク・システムにおいてスループットを向上させるシステムおよび／または方法の技術においては、未だ満たされていないニーズがある。
【発明の開示】
【００１０】
以下は、１または複数の実施形態を基本的に理解できるように、これらの実施形態の簡略化した概要を示すものである。本概要は、すべての考慮された実施形態の広範な概要ではなく、実施形態の主要なまたは重要な要素を特定したり、実施形態の任意のまたはすべての範囲を詳細に説明したりするものでもない。ここでの目的は、後述のさらに詳細な説明の前置きとして簡略化した形式での１または複数の実施形態の概念を単にいくつか示すものである。
【００１１】
１または複数の実施形態および実施形態に対応する開示によれば、無線通信環境における高速セル選択の実行に関連して、様々な態様が説明される。１つの態様によれば、ユーザ・デバイスは、例えばＵＭＴＳ  ＴＤＤ通信プロトコル、ＯＦＤＭＡ通信プロトコル、ＳＣ−ＦＤＭＡ通信プロトコルなどを使用する無線ネットワークとの通信中に、自身の仮想アクティブ・セット（ＶＡＳ）中のセクタのリストからサービング・セクタを選択できる。サービング・セクタは、ユーザ・デバイスがアップリンクの伝送に使用するスクランブル符号を持つ公称セクタとは別のものとすることができる。ユーザ・デバイス用のＶＡＳ中にリストされたすべてのセクタは、このスクランブル符号を知ることができる。このようにして、ユーザ・デバイスが配置されているカバレッジ・エリアにあるすべてのセクタは、ユーザ・デバイスのＶＡＳに含めることができ、ユーザ・デバイスからの伝送を受信および復調することができる。
【００１２】
１または複数の実施形態によれば、無線通信環境においてユーザ・デバイス用のサービング・セクタを選択する方法は、ユーザ・デバイスからの伝送信号の受信および復調を試みるセクタのリストを備えるユーザ・デバイスの中に仮想アクティブ・セット（ＶＡＳ）を生成することと、ＶＡＳ中のセクタのリストから１つのセクタを選択することとを備えることができる。ＶＡＳは、伝送のためにユーザ・デバイスによって使用されるユニークなスクランブル符号を有する公称セクタを備えることができ、このスクランブル符号は、このようなセクタがユーザ・デバイスの伝送を受信および復調する（例えば、リッスンする）ことができるように、ＶＡＳ中のすべてのセクタに知られているようにできる。さらに、ユーザ・デバイスは、自身のＶＡＳ中のすべてのセクタのビーコン・チャネルの強度を監視することができ、最も高い信号対干渉雑音比（signal-to-interference-noise ration：ＳＩＮＲ）を有するセクタを公称セクタのスクランブル符号を使用して通信するサービング・セクタとして選択できる。例えば、ＨＳ−ＤＳＣＨおよび関連する制御ＨＳ−ＳＣＣＨを通って、アップリンクの伝送は公称セクタのスクランブル符号を使用して行うことができ、ダウンリンクの伝送はデータ伝送用のセクタ特有のスクランブル符号を使用して行うことができる。専用のチャネルを通るダウンリンク伝送は、公称セクタから始めることができ、よって公称セクタのスクランブル符号を使用する。この方法はさらに、ユーザ・デバイスがセクタからセクタへ移動するときに、ＶＡＳを更新することをさらに備えることができる。無線通信環境は、ＴＤＤ  ＵＭＴＳ無線通信環境、ＯＦＤＭＡ無線通信環境、およびＳＣ−ＦＤＭＡ無線通信環境のうちの少なくとも１つとすることができる。
【００１３】
別の態様によれば、無線ネットワーク環境においてユーザ・デバイスによって高速セル選択を容易にする装置は、ユーザ・デバイスからの伝送の復調を試みるセクタのリストを格納するメモリと、セクタのリストに関連する情報を分析し、セクタのリストからサービング・セクタを選択する、メモリに接続されたプロセッサとを備えることができる。選択されたセクタは、セクタ間の望ましくないピンポン効果を緩和させるため、ビーコン・チャネル・アナライザによって判定されたような、セクタのリストの中で最も高いビーコン・チャネルＳＩＮＲを有するセクタとすることができる。さらに、セクタのリストは、ユーザ・デバイスが通信に使用できるスクランブル符号を有する公称セクタのほか、ユーザ・デバイスが自身のカバレッジ・エリアに配置されている１または複数の他のセクタも備えることができる。ユーザ・デバイスが個々のセクタ・カバレッジ・エリアを入り、および出て移動すると、セクタのリストは動的に更新できる。ユーザ・デバイスによって所与のセクタがサービング・セクタとして選択される場合／とき、ユーザ・デバイスから伝送される信号の復調をできるようにするほか、ユーザ・デバイスへの伝送を可能にするため、セクタのリストにリストされたすべてのセクタは、ユーザ・デバイスのスクランブル符号のほか、公称セクタによって割り当てられた他のリソース（例えば、タイムスロット、チャネルなど）も知ることができる。無線通信環境は、ＴＤＤ  ＵＭＴＳ、ＯＦＤＭＡ、ＳＣ−ＦＤＭＡ、または他の適切な無線通信環境とすることができる。
【００１４】
さらに別の態様によれば、無線通信環境においてユーザ・デバイスによって高速セル選択を容易にする装置は、ユーザ・デバイス用に、ユーザ・デバイスとの通信ができるセクタのリストを備える仮想アクティブ・セット（ＶＡＳ）を生成する手段と、ユーザ・デバイスが複数のセクタ・カバレッジ・エリアを横断するとＶＡＳを更新する手段と、最も高いビーコン・チャネルＳＩＮＲを有するセクタをサービング・セクタとして動的に選択する手段とを備えることができる。この装置はさらに、最も高いビーコン・チャネルＳＩＮＲを有するセクタを判定するため、ＶＡＳ中の各セクタのビーコン・チャネルＳＩＮＲを分析する手段のほか、ユーザ・デバイスによって使用されるスクランブル符号、およびユーザ・デバイスがスクランブル符号とともに通信信号を送信する間のタイムスロットに関連する情報をＶＡＳにリストされているすべてのセクタに提供する手段をさらに備えることができる。このようにして、ユーザ・デバイスのＶＡＳ中のすべてのセクタは、このような伝送が特定のセクタのスクランブル符号を使用していなくても、ユーザ・デバイスの伝送を受信および復調することができる。その結果として、ユーザ・デバイスは自身のＶＡＳ中のどのセクタでもデータ伝送用に選択することがきる。無線通信環境は、ＴＤＤ  ＵＭＴＳ無線通信環境、ＯＦＤＭＡ無線通信環境、およびＳＣ−ＦＤＭＡ無線通信環境のうちの少なくとも１つとすることができる。
【００１５】
さらに別の態様によれば、ユーザ・デバイスが配置されているセクタのリストを生成し、ユーザ・デバイスがセクタを横断するときにセクタのリストを更新し、セクタのリストにリストされた各セクタのビーコン・チャネルＳＩＮＲを監視し、ユーザ・デバイスに送信されるデータおよび制御コマンドが通過するサービング・セクタとして、セクタのリストから最も高いＳＩＮＲを有するセクタを選択する、コンピュータが実行可能な命令を格納するコンピュータ可読媒体が説明される。このような命令はさらに、セクタのリストのすべてのセクタがユーザ・デバイスからの伝送を受信して変調できるように、ユーザ・デバイスからの伝送の間、ユーザ・デバイスに使用されるスクランブル符号に関連する情報をコントローラを介してセクタのリスト中のすべてのセクタに提供する命令を備えることができる。無線通信環境は、ＴＤＤ  ＵＭＴＳ、ＯＦＤＭＡ、ＳＣ−ＦＤＭＡ、または他の適切な無線通信環境とすることができる。
【００１６】
別の態様によれば、通信環境において高速セル選択を行うための命令であって、ユーザ・デバイスが置かれているセクタの識別を備えるセクタ・リストを生成することと、ユーザ・デバイスがセクタを横断すると、セクタ・リストを更新することと、セクタ・リストにリストされた各セクタのビーコン・チャネルＳＩＮＲを監視することと、ユーザ・デバイスに送信されるデータおよび制御コマンドが通過するサービング・セクタとして、セクタ・リストから最も強いＳＩＮＲを有するセクタを選択することとを備える命令を実行するプロセッサが説明される。このプロセッサはさらに、セクタ・リストのすべてのセクタがユーザ・デバイスからの伝送を受信して変調できるように、ユーザ・デバイスからの伝送の間、ユーザ・デバイスに使用されるスクランブル符号に関連する情報をコントローラを介してセクタ・リスト中のすべてのセクタに提供する命令をさらに備えることができる。さらに、このプロセッサは、ユーザ・デバイスが異なるセクタ・カバレッジ・エリアに出入りすると、セクタ・リストを更新する命令、およびセクタのリスト中のセクタが現在のサービング・セクタよりも高いビーコン・チャネルＳＩＮＲを有していると判定されたとき、新しいサービング・セクタを選択する命令をさらに備えることができる。無線通信環境は、ＴＤＤ  ＵＭＴＳ無線通信環境、ＯＦＤＭＡ無線通信環境、およびＳＣ−ＦＤＭＡ無線通信環境のうちの少なくとも１つとすることができる。
【００１７】
さらに別の態様では、無線ネットワークでの通信を容易とする移動デバイスは、移動デバイスが配置されているセクタのリストを備える仮想アクティブ・セット（ＶＡＳ）を生成し、移動デバイスが複数のセクタを横断するとＶＡＳを更新し、ユーザ・デバイスからの伝送用にユーザ・デバイスによって使用されるユニークなスクランブル符号を有する公称セクタをＶＡＳに含めるプロセッサと、ＶＡＳを格納するメモリと、ＶＡＳ中の各セクタからビーコン・チャネルの強さを評価し、このような情報をプロセッサに提供するビーコン・チャネルＳＩＮＲアナライザとを備え、プロセッサは、最も強いビーコン・チャネルを有するＶＡＳ中のセクタを、ユーザ・デバイスへのデータ伝送用のサービング・セクタとして選択する移動デバイスに関する。無線通信環境は、ＴＤＤ  ＵＭＴＳ無線通信環境、ＯＦＤＭＡ無線通信環境、およびＳＣ−ＦＤＭＡ無線通信環境のうちの少なくとも１つとすることができる。
【００１８】
前述および関連する目的を達成するため、１または複数の実施形態には、以下に完全に説明される特徴、特に特許請求の範囲で指摘される特徴が含まれる。以下の説明および添付の図面は、１または複数の実施形態の特定の例としての態様を詳細に開示するものである。ただし、これらの態様は、種々の実施形態の原理を使用できる種々の方法のうちの数例を示しているに過ぎず、記載された実施形態はこのような態様および同等物すべてを含むものとする。
【発明を実施するための最良の形態】
【００１９】
ここで図面を参照しながら様々な実施形態を説明するが、全体を通して同じ参照符号は同じ要素を示すために使用されている。以下の記載において、１または複数の実施形態を完全に理解するために、説明の目的で具体的な内容が多く開示されている。しかし、このような（複数の）実施形態をこれらの特定の詳細なしに実施できることも明らかであろう。別の例では、１または複数の実施形態の説明を容易とするために、周知の構造およびデバイスがブロック図の形式で示されている。
【００２０】
本出願で使用されているような、「コンポーネント」、「システム」等の用語は、ハードウェア、ハードウェアおよびソフトウェアの組み合わせ、ソフトウェア、または実行中のソフトウェアのいずれかのコンピュータ関連のエンティティを示すものとする。例えば、コンポーネントはプロセッサ上で実行するプロセス、プロセッサ、オブジェクト、実行ファイル、実行スレッド、プログラム、および／またはコンピュータであればよいが、これに限定されない。１または複数のコンポーネントがプロセスおよび／または実行スレッド内にあってもよく、コンポーネントは１台のコンピュータ上に配置され、かつ／または２台以上のコンピュータ間に分散されてもよい。さらに、これらのコンポーネントは、様々なデータ構造が格納された様々なコンピュータ可読媒体から実行できる。コンポーネントは、１または複数のデータ・パケット（例えば、ローカルシステム、分散システムおよび／またはインターネットのような信号によって他のシステムと繋がるネットワークの別のコンポーネントと交信する１つのコンポーネントからのデータ）を有する信号に従うなどして、ローカルおよび／または遠隔のプロセスを経由して通信できる。
【００２１】
さらにここで、加入者局に関する様々な実施形態を説明する。加入者局は、システム、加入者ユニット、移動局、移動体、遠隔局、アクセスポイント、基地局、遠隔端末、アクセス端末、ユーザ端末、ユーザ・エージェント、またはユーザ機器と呼ぶこともできる。加入者局は、セル式電話、コードレス電話、セッション開始プロトコル（Session Initiation Protocol：ＳＩＰ）電話、ワイヤレス・ローカル・ループ（wireless local loop：ＷＬＬ）局、パーソナル・デジタル・アシスタント（ＰＤＡ）、無線接続機能を有する携帯用デバイス、または無線モデムに接続された他の処理デバイスであればよい。
【００２２】
さらに、本願明細書に記載の様々な態様または機能は、標準的なプログラミングおよび／またはエンジニアリング技術を用いた方法、装置、製品として実現できる。ここで使用される「製品」という用語は、任意のコンピュータ可読デバイス、キャリア、または媒体からアクセス可能なコンピュータ・プログラムを含めるものとする。例えば、コンピュータ可読媒体には、磁気記憶デバイス（例えば、ハードディスク、フロッピー（登録商標）ディスク、磁気ストリップ等）、光学ディスク（例えば、コンパクト・ディスク（ＣＤ）、デジタル多用途ディスク（ＤＶＤ）等）、スマートカード、およびフラッシュ・メモリ・デバイス（例えば、カード、スティック、キードライブ等）を含めることができるが、これに限定されない。
【００２３】
本願明細書に記載の態様は主にＴＤＤ  ＵＭＴＳシステムに関して示されるが、このような態様はアップリンク通信用のセクタ特有のリソース割り当てを持つ他のシステムにも適用できることは、当業者であれば分かるであろう。このようなシステムの例としては、直交周波数分割多元接続（Orthogonal Frequency Division Multiple Access：ＯＦＤＭＡ）およびシングル・キャリア周波数分割多元接続（Single Carrier Frequency Division Multiple Access：ＳＣ−ＦＤＭＡ）がある。これらのシステム用のアップリンク・リソースは、タイムスロット、各タイムスロットにおいてのサブキャリア（トーン）の（複数の）セット、セルまたはセクタ特定のスクランブル符号などであればよい。したがって、ユーザ・デバイスは、ユーザ・デバイスのために公称セクタに割り当てられたリソースを使用することができる。様々なＵＭＴＳ−ＴＤＤ実施形態向けに記述される仮想アクティブ・セット（ＶＡＳ）の概念は、これらのシステムで共通しており、よってユーザ・デバイスのＶＡＳ中のすべてのセクタは、使用されるリソースについての共有の認識があるため、ユーザ・デバイスの波形の受信および復調を試みることができる。ダウンリンクのサービング・セルについてのユーザ・デバイスの表示は、アップリンクの波形特性（例えば、スクランブル符号）およびユーザ・デバイスの公称セクタによって割り当てられたリソースを使用して伝達できる。
【００２４】
本願明細書には、種々の態様に従って、ＵＭＴＳ  ＴＤＤシステムにおける高速セル選択を容易とするシステムおよび方法が記載される。さらに、このようなシステムおよび方法は、低チップレート（low chip rate：ＬＣＲ）のほかにＵＭＴＳ  ＴＤＤの高チップレート（high chip rate：ＨＣＲ）版にも当てはまる。ここで図１を参照すると、エボリューション・データ・オンリー（evolution data only：ＥｖＤＯ）無線通信環境において高速セル選択（ＦＣＳ）が可能となるシステム１００が示されている。第１の基地局１０４の第１のセクタ１０２が第２の基地局１０８の第２のセクタ１０６とオーバーラップするカバレッジ・エリアとともに示されている。第１の基地局１０４および第２の基地局１０８は、同一の基地局であってもよく、同一の基地局でなくてもよい。ユーザ・デバイス１１０は、オーバーラップ・エリア１１２内に示されている。このエリアは、第１の基地局１０４が第２の基地局１０８とは別である場合はソフトハンドオフ領域であり、第１の基地局１０４が第２の基地局１０８と同一である場合にはソフターハンドオフ領域である。したがって、第１のセクタ１０２および第２のセクタ１０６の両方が、ユーザ・デバイス１１０のアクティブ・セットの中にある。第１の基地局１０４が第２の基地局１０８とは異なる基地局の場合は、基地局１０４および１０８からのアップリンク・トラフィックを結合する選択結合器１１６を有する基地局コントローラ１１４が示される。さらに、コントローラ１１４は、ダウンリンクでの伝送用のデータ・パケットを一時的に格納するキュー１１８も備える。コントローラ１１４はキュー１１８と関連付けられ、基地局１０４（例えば、図において送信を行っている基地局）はキュー１３０に関連付けられることに注目されたい。ダウンリンク・データ１２０はキュー１１８からキュー１３０、基地局１０４へと送信され、基地局１０４は順にデータをユーザ・デバイス１１０へ送信する。ダウンリンク情報１２２は、基地局１０４からユーザ・デバイス１１０へ送信されることができ、この情報にはダウンリンク・データ、アップリンク電力管理情報、リバースアクティビティ（reverse activity）情報を備えることができる。基地局１０８は、電力制御情報およびリバースアクティビティ情報を備える信号１２４を送信することもできるが、ダウンリンク・データの送信はしないことは分かるであろう。ユーザ・デバイス１１０は、データのほか、サービング・セル情報も備えるアップリンク信号１２６および１２８をそれぞれ送信することによって、基地局１０４および１０８と通信することができる。信号１２６および１２８は同一（例えば、基地局１０４および１０８の両方に対して送信される単一の信号とすることができる）のものとすることができることは分かるであろう。
【００２５】
従来システムのＥｖＤＯのダウンリンクでは、ユーザ・デバイスのアクティブ・セット中のすべてのセクタによってユーザ・デバイスのアップリンク伝送が復調および復号される間、単一のセクタ（例えば、セクタ１０２）が「サービング・セクタ」になる。ユーザ・デバイスのアップリンクでの伝送はユーザ・デバイスのアクティブ・セット中のすべてのセクタによって復調および復号されるので、ユーザ・デバイス１１０はそれらのセクタのどれかを「サービング・セクタ」として選択すればよい。ＥｖＤＯでは、ダウンロード・レート・コントロール（ＤＲＣ）カバーを経由してポインティング操作（pointing operation）が行われる。したがって、ＥｖＤＯでのＤＲＣカバーの変更は、サービング・セクタの変更を意味し、これにはセクタの送信バッファでパケットをデキューおよびエンキューすることを含めることができる。使用されていないセクタは、そのユーザ・デバイスを自身の送信バッファからデキューし、新しいサービング・セクタがユーザ・デバイスのデータを自身の送信バッファにエンキューする。このデキュー／エンキュー操作は、実装によって高速にも低速にもなりうる。例えば、パケット・データ・キューはコントローラまたはコントローラの複製に保持することができる。新しいセクタが選択された場合、古いサービング・セクタが地理的に新しいサービング・セクタと並べて配置されてもよい（例えば両方のセクタが同一のセルの場所に属する場合）ので、コントローラ１１４または古いサービング・セクタから新しいセクタのキューを埋めることができる。サービング・セクタを変更する（時間的）「損失」の推定をユーザ・デバイス１１０に与えるために、２つの遅延、すなわちＳｏｆｔＨａｎｄｏｆｆＤｅｌａｙおよびＳｏｆｔｅｒＨａｎｄｏｆｆＤｅｌａｙを使用できる。このような推定値は、アルゴリズムを統制するのに適切なヒステリシスを選択するために、ユーザ・デバイスの再ポインティング・アルゴリズムによって使用できる。
【００２６】
このように、図１はＥｖＤＯシステムにおけるダウンリンクおよびアップリンクの波形の送受信を示している。図から分かるように、１つのセクタ（セクタ１０２）だけが所与のユーザに対しダウンリンクでトラフィック／データを送信する。しかし、アクティブ・セット中のすべてのセクタは、コントローラ１１４の選択結合器１１６の出力において、ユーザ・デバイスの送信電力を効果的な１％のＰＥＲまで電力制御するアップリンク電力制御コマンドをそれぞれのダウンリンク伝送の中で送る。さらに、ユーザのパケット・データ・キュー１１８および１３０は、コントローラ１１４およびサービング・セクタ１０２の両方にそれぞれある。したがって、ＥｖＤＯシステムにおいて、例えばセクタ１０２からセクタ１０６へサービング・セクタを変更する費用には、ユーザ・デバイス１１０のための新しいキューを追加することも含まれる。
【００２７】
図２は、ＵＭＴＳ  ＴＤＤ通信環境におけるセル再選択のためのシステム２００を示す図である。第１の基地局２０４の第１のネットワーク・セクタ２０２が第２の基地局２０８の第２のネットワーク・セクタ２０６とオーバーラップして示されている。ユーザ・デバイス２１０は、セクタ２０２と２０６とがオーバーラップする領域２１２内に示されている。この図によると、セクタ２０２はユーザ・デバイス２１０のサービング・セクタであるため、図１に関して説明したキューと同様のキュー２１６を備えるコントローラ２１４にアップリンク・データを送信する。コントローラ２１４は、キュー２１６を介して、セクタ２０２および／または基地局２０４に関連づけられた別のキュー２２４にダウンリンク・パケット・データ２１８を送信する。続いて、ダウンリンク情報が、ダウンリンク・データおよびアップリンク電力制御情報を備える信号２２０によってサービング・セクタの基地局２０４からユーザ・デバイス２１０へ送信される。次いでユーザ・デバイス２１０は、アップリンク２２２において情報を送信する。アップリンク２２２では、サービング・セクタ特有のスクランブル符号でデータを送信することができる。したがって、信号２２２は基地局２０４および基地局２０８の両方に送信されるように図示されているが、基地局２０４（例えば、サービング・セクタの基地局）だけがアップリンク・データ伝送を復号する。
【００２８】
ＵＭＴＳ  ＴＤＤシステムでの送受信の主な特徴は、ユーザ・デバイスでのデータ送受信において使用されるスクランブル符号にある。これらの符号は一般に１６チップ長であり、システム内の各セクタが伝送用に割り当てられたユニークなスクランブル符号を有することができるようにセクタを完全に定義する。したがって、セクタ２０２からのダウンリンク伝送に使用される同一のスクランブル符号をユーザ・デバイス２１０用の伝送に使用することができる。
【００２９】
図２から分かるように、所与の時間にネットワーク側とユーザ・デバイス２１０を接続しているダウンリンクおよびアップリンクには単一のリンクがある。このことは、ユーザ・デバイス２１０がセクタ２０２および２０６の両方のカバレッジ・エリアにあるにもかかわらず、言えることである。このような従来のＵＭＴＳシステムにおいては、（ＥｖＤＯシステムと反して）一般にアップリンクにはソフターハンドオフはなく、ユーザ・デバイスの送信電力またはレートの調節のためのマルチセクタ電力制御またはレート制御も一般にはない。スクランブル符号が伝送に使用されるセクタは、「公称セクタ」と呼ぶことができ、これは典型的なＵＭＴＳ  ＴＤＤ通信環境のユーザ・デバイス２１０に関連する唯一のセクタである。アドバンスト・マルチユーザ検出（Advanced multi-user detection：ＡＭＵＤ）は、公称セクタ以外のセクタによるユーザ・デバイスの伝送の受信を可能にできる。さらに、ユーザ・デバイス２１０が使用するスクランブル符号とは別のスクランブル符号を持つセクタであるが、ユーザ・デバイスの波形を受信し復調しようとするセクタは、「ＡＭＵＤセクタ」と呼ぶことができる。仮想アクティブ・セット（ＶＡＳ）の概念は、所与のユーザ・デバイスのＶＡＳ中のすべてのセクタがユーザ・デバイスからの伝送を受信し復調しようとすることを期待されているという意味で相補的である。同様に、ユーザ・デバイスは自身のＶＡＳ中のすべてのセクタからの伝送を受信しようとすることを期待される。
【００３０】
図３は、本願明細書で開示される１または複数の実施形態と併せて使用できるような多元接続無線通信システム３００を示す図である。３つのセクタで構成される基地局３０２は、多数のアンテナ・グループ、すなわちアンテナ３０４および３０６を含む１つ目のグループ、アンテナ３０８および３１０を含む２つ目のグループ、ならびにアンテナ３１２および３１４を含む３つ目のグループを含む。この図によると、各アンテナ・グループにつき２つのアンテナだけが示されているが、これよりも少ないまたは多いアンテナを各アンテナ・グループで使用してもよく、送信アンテナと受信アンテナのセットの数が等しくなくてもよい。例えば、あるセクタまたはセルに２つの受信アンテナと１つの送信アンテナを使用しても、この逆であってもよく、または３つの送信アンテナと２つの受信アンテナを使用するなどでもよい。さらに、セクタ同士がそれぞれ同じ数のアンテナを有する必要もない。当業者であれば分かるように、例えば、第１のセクタは受信アンテナ２つと送信アンテナ２つを使用し、第２のセクタは受信アンテナ２つと送信アンテナ１つを使用し、第３のセクタは受信アンテナ１つと送信アンテナ１つを使用するなど、送信アンテナおよび／または受信アンテナの数およびタイプの組み合わせを、所与のセクタで任意に使用することができる。
【００３１】
移動デバイス３１６は、アンテナ３１２および３１４と通信する。ここでアンテナ３１２および３１４は、順方向リンク３２０によって移動デバイス３１６へ情報を送信し、逆方向リンク３１８によって移動デバイス３１６からの情報を受信する。移動デバイス３２２は、アンテナ３０４および３０６と通信する。ここでアンテナ３０４および３０６は、順方向リンク３２６によって移動デバイス３２２へ情報を送信し、逆方向リンク３２４によって移動デバイス３２２からの情報を受信する。
【００３２】
通信を行うよう指定されたアンテナの各グループおよび／またはエリアは、しばしば基地局３０２のセクタと称される。図示された実施形態では、アンテナのグループは、基地局３０２によってカバーされるエリアのセクタ中の移動デバイスと通信するように指定されている。順方向リンク３２０および３２６での通信において、基地局３０２の送信中のアンテナは、別々の移動デバイス３１６および３２２用の順方向リンクのＳＮ比を改善するために、ビーム・フォーミング技術を使用できる。さらに、基地局が、カバレッジ・エリアに無作為に点在する移動デバイスへの送信にビーム・フォーミングを使用していると、カバレッジ・エリア内のすべての移動デバイスへの送信に単一のアンテナを使用する基地局に比べ、隣接するセル／セクタの移動デバイスへの干渉が少なくなる。基地局は、端末との通信に使用される固定局であればよく、アクセスポイント、ノードＢまたは他の用語で称されてもよい。移動デバイスも、移動局、ユーザ機器（ＵＥ）、無線通信デバイス、端末、アクセス端末、ユーザ・デバイス、または他の用語で称されてもよい。当業者であれば分かるように、本願明細書に記載のユーザ・デバイスは、例えば、セル式電話、スマートフォン、ラップトップ、ＰＤＡ，ハンドヘルド通信機器、ハンドヘルド計算器、衛星ラジオ、全地球測位システム、または無線ネットワークで通信する他の適切なデバイスとすることができる。
【００３３】
図４から図６を参照すると、無線通信環境におけるＶＡＳの生成および／または高速セル選択のサポートに関する方法が示されている。例えば、方法は、ＵＭＴＳ  ＴＤＤ無線環境、ＯＦＤＭ環境、ＯＦＤＭＡ環境、ＣＤＭＡ環境、ＴＤＭＡ環境、ＴＤＤ環境、ＳＤＭＡ環境、または他の適切な無線環境における高速セル選択の実行に関する方法とすることができる。説明を簡単にするために、これらの方法は一連の動作として示され説明されているが、１または複数の実施形態に従ったいくつかの動作は、ここで示され説明されるものとは別の順序および／または他の動作と同時に発生し得るため、これらの方法は動作の順序に限定されないことは理解および認識すべきである。例えば、方法が状態図のように一連の相互関係のある状態または状況として別に示されてもよいことは当業者であれば理解および認識できるであろう。さらに、図示された動作すべてが１または複数の実施形態に従った方法を実施する必要があるわけではない。
【００３４】
図４は、１または複数の実施の態様に従って、ＵＭＴＳ  ＴＤＤ無線環境で、仮想アクティブ・セット（ＶＡＳ）を使用して高速セル選択（ＦＣＳ）を可能にする方法４００の図を示している。４０２において、ユーザ・デバイスからの伝送の復調および復号を試みることができるセクタのリストとしてユーザ・デバイス用のＶＡＳを定義することができ、このＶＡＳについてはユーザ・デバイスにおいてだけでなくネットワーク側でも認識できる。４０４において、所与のセクタがユーザ・デバイスの波形の復調を続けられるかどうか（例えば、ユーザ・デバイスが所与の基地局の範囲内にあるかどうかなど）の能力に部分的に基づいて、ネットワーク側からの測定によって、ＶＡＳを経時的に更新できる。セクタ（例えば、基地局、ノードＢなど）とコントローラ（ＲＮＣ）との間の通信によって、（例えば、ＥｖＤＯシステムのような）システム内のすべてのユーザ・デバイス用のＶＡＳを容易に最新版に維持できるようになる。ユーザ・デバイスのＶＡＳに変更があった場合、４０６において、サービング・セクタを通って信号を搬送することで、ネットワークがユーザ・デバイスにそれを伝えることができる。
【００３５】
さらに、ユーザ・デバイスのＶＡＳ中のすべてのセクタは、ダウンリンクおよびアップリンクでの通信のためにユーザ・デバイスに割り当てられた特定のチャネルを認識できる。チャネル自体に加え、ＶＡＳ中のセクタは、ユーザ・デバイスとの通信のために当該ユーザ・デバイスの「公称セクタ」に割り当てられたリソースを認識することができる。このような認識は、ユーザ・デバイスとの通信のやりとりに使用されるタイムスロットおよび符号の判定を容易にすることができ、この認識は４０８において評価することができる。４１０において、ユーザ・デバイスは、ユーザ・デバイスのＶＡＳ中のセクタからサービング・セクタを選択することができる。当然のことではあるが、選択されたサービング・セクタは、公称セクタを含めた、ＶＡＳ中のセクタのいずれかとすることができる。このようにして、ユーザ・デバイスは「サービング・セクタ」をＶＡＳ中のセクタの１つとして選択することができるが、従来のシステムおよび方法では、ユーザ・デバイスは、通信用にユーザ・デバイスが使用するセクタ拡散符号以外から選択することができなかった（「公称セクタ」）。
【００３６】
図５は、本願明細書に記載の１または複数の態様に従って、ＶＡＳからのサービング・セクタの選択を容易にする方法５００を示す図である。当然のことながら、ユーザ・デバイスからの伝送は、公称上のスクランブル符号（ＶＡＳの概念が存在しない場合にユーザ・デバイスが使用することになるスクランブル符号）およびその「公称セクタ」に割り当てられたリソースを使用して行うことができる。したがって、対応するＨＳ−ＳＩＣＨ（high-speed shared information channel）の通常の使用が期待できる。５０２において、ユーザ・デバイスは自身のＶＡＳ中のすべてのセクタのビーコン・チャネルの信号対干渉雑音比（signal-to-interference-noise ratio：ＳＩＮＲ）を監視できる。５０４において、ユーザ・デバイスは、どのセクタが最大のＳＩＮＲがあるかを判定するため、ＶＡＳ内のすべてのセクタ用のビーコン・チャネルＳＩＮＲｓを評価および／または比較できる。このようにして、セクタ間のピンポンを緩和することができ、伝送容量の損失を防ぐことができる。５０６において、ユーザ・デバイスは、５０４において判定されたＳＩＮＲの強度に少なくとも部分的に基づいて自身のＶＡＳからサービング・セクタを選択することができる。ユーザ・デバイスのＶＡＳ中のすべてのセクタから１つを選択する手順は、例えば、ＨＳ−ＳＩＣＨ情報の一部として対応することができる。
【００３７】
図６は、本願明細書で開示される１または複数の態様に従って、ユーザ・デバイスに関連付けられたＶＡＳからのサービング・セクタの選択を容易にするために、ユーザ・デバイスに情報を提供する方法を示す図である。６０２において、ユーザ・デバイスのＶＡＳ中のすべてのセクタによって、電力およびレート制御のための制御情報を提供する（例えば、送信する）ことができる。６０４において、選択されたサービング・セクタから、データ・チャネル（例えば、ＨＳ−ＤＳＣＨ）および制御チャネル（例えば、ＨＳ−ＳＣＣＨ）伝送を提供することができる。当然ではあるが、自身のＶＡＳｓに特定のセクタがあるすべてのユーザ・デバイスに制御チャネル情報を送る伝送能力をサポートできる。したがって、ユーザ・デバイスのＶＡＳに特定のセクタがリストされている場合、そのセクタはユーザ・デバイスに対して制御チャネル情報を送信することができる。さらに、ユーザ・デバイスのＶＡＳ中のすべてのセクタは、高速共有情報チャネルのタイミングを備えなくても、ユーザ・デバイスがすべてのセクタをリッスンできるように、許可されている制御チャネルの同一のセットを有することができる。
【００３８】
６０６において、公称セクタは、公称セクタのスクランブル符号および専用のリソースを使用して、ユーザ・デバイスに専用のチャネル伝送を提供できる。さらにユーザ・デバイスのＶＡＳ中のすべてのセクタは、ユーザ・デバイスからの伝送を受信し、復号を試みることができる。ユーザ・デバイスのＶＡＳ中のすべてのセクタは、さらにユーザ・デバイスの公称セクタにおいてのチャネル割り当ておよびリソース割り当てを認識することができる。所与のユーザ・デバイス用のサービング・セクタに変更があると、ネットワークは以前のサービング・セクタのパケット・データ・バッファをデキューし、この情報を新たに選択されたサービング・セクタ（例えば、セクタに関連付けられたパケット・データ・バッファ）にエンキューすることができる。
【００３９】
図７は、１または複数の態様に従ってユーザ・デバイスが、複数のカバレッジ・エリアを横断する例としてのコース７００を示す図である。第１のセクタ、セクタ１は、カバレッジ・エリアにおいて、第２のセクタ、セクタ２および第３のセクタ、セクタ３とオーバーラップしており、各々が他のセクタとオーバーラップして示されている。１から５の番号がつけられた図中の十字の各ポイントは、ユーザ・デバイス中のＶＡＳを更新できる異なる地理的な位置を示している。以下の表１は、期待されるＶＡＳと様々な位置にあるユーザ・デバイス用の公称セクタを示している。
【表１】
2009506684.tif 000003
【００４０】
ポイント１はセクタ１内に図示されており、このポイントではセクタ１がユーザ・デバイスのＶＡＳ中の唯一のセクタである。したがって、セクタ１が公称セクタであり、そのうえサービング・セクタとして選択できる。ポイント２は、セクタ１およびセクタ２のオーバーラップしているカバレッジ・エリアに位置し、この場所では、いずれもがポイント２でのユーザ・デバイスのＶＡＳ中に含まれる。この例では、セクタ１が公称セクタとして保持されており、これは望ましくない頻度のセクタ切り替えに関連するピンポン効果の緩和を容易とすることができるが、例えばビーコン・チャネルＳＩＮＲの強度の分析などに基づいて、ユーザ・デバイスによっていずれのセクタでもサービング・セクタとして選択できる。
【００４１】
ポイント３は、３つのすべてのセクタのオーバーラップしているカバレッジ・エリアに配置されているように示されている。したがって、これらのセクタはユーザ・デバイスのＶＡＳにリストされており、ここからユーザ・デバイスがサービング・セクタを選択することができる。セクタ１は、ピンポンを緩和し、システムのスループットを向上させるため、再び公称セクタとして保持される。ポイント４では、ユーザ・デバイスは、セクタ２とセクタ３だけがオーバーラップするカバレッジ・エリアに配置されている。したがって、セクタ１はもうユーザ・デバイスのＶＡＳ内にはなく、セクタ３が公称セクタになっている。ポイント５では、ユーザ・デバイスはセクタ３だけによってカバーされるエリアに移動している。したがって、セクタ３だけがＶＡＳ中のセクタであり、公称セクタとして保持される。当然ではあるが、公称セクタは常にユーザ・デバイスのＶＡＳ中にあり、しかもＶＡＳに１または複数のセクタが含まれるとき、ユーザ・デバイスは、サービング・セクタとしてどのセクタでも選ぶことができる。さらに、線形ブロックＭＭＳＥの実装によって、または干渉除去などを容易にする他の線形または非線形の適応する方式によって、アドバンスト・マルチユーザ検出技術を使用することができる。
【００４２】
当然ではあるが、本願明細書に記載の１または複数の実施形態および／または方法によれば、サービング・セクタの選択、公称セクタの選択などに関して、推論を使用できる。本願明細書で使用されているような、「推論する」または「推論」という用語は、一般に、システム、環境、および／またはユーザの状態をイベントおよび／またはデータから得られたような一連の所見から推測または推論する工程をいう。推論は、例えば特定の状況または振る舞いを識別するために使用できたり、状態から確率分布を作成できたりする。推論は、確率的なものとすることができる。すなわち、データおよびイベントの考慮に基づいて注目している状態の確率分布の計算である。推論は、一連のイベントおよび／またはデータからより上位レベルのイベントを作成するために使用される技術ともいえる。このような推論の結果、イベントが時間的に近く関連していようともしていなくとも、イベントおよびデータが１つのまたはいくつかのイベントおよびデータ源からきていようとも、所見された一連のイベントおよび／または保存されたイベント・データから新しいイベントまたは振る舞いが作られる。
【００４３】
１つの例によると、上記で説明された方法の１つに、無線環境において選択すべき最良の新しい通信用のセクタに関して推論することを含めることができる。例えば、図７に示されているようなユーザ・デバイスの経路に関して、移動の方向について推論することができる。このような推論は、ユーザ・デバイスがこれから先に配置されそうな場所を推論することを容易にするため、少なくとも一部を全地球測位技術などのような最新の三角測量データに基づくことができる。この例によれば、ユーザ・デバイスが引き続き所与の方向に向かうのかを推論するために、ユーザ・デバイスがたどるルートに関する情報を使用できる。例えば、州間高速自動車道を移動する車両に使用されるユーザ・デバイスは、移動経路が比較的一直線に進むとされる。このような場合、履歴の位置データが移動の経路がほぼ南方へ変わっていることを示しているため、早ければポイント３でセクタ３を公称セクタとして、および／またはサービング・セクタとして選択するよう、移動経路が推論される。
【００４４】
別の例によれば、どのセクタをユーザのＶＡＳに含めるかに関して、領域コントローラによって推論をすることができる。このような推論は、容量レベルのトラフィックを経験しているセクタを、セクタの端にあるユーザ・デバイスのＶＡＳから一時的に除外できるように、例えば、１または複数の可能性のあるＶＡＳセクタにおける通信トラフィックに基づくことができる。同様の例において、所与の時間においてさらに強い通信能力および／または信号を持った別のセクタの存在に基づいて、コントローラが１または複数のセクタを除外することに関する推論をすることができる。当然ではあるが、上記の例は本来例として示すものであり、可能な推論の数または本願明細書に記載の様々な実施形態および／または方法と併せて行われるこのような推論の手法を限定するものではない。
【００４５】
図８は、本願明細書に記載の１または複数の実施形態に従った、ＵＭＴＳ  ＴＤＤ無線通信環境での高速セル選択の実行を容易にするユーザ・デバイス８００を示す図である。ユーザ・デバイス８００は、例えば受信アンテナから信号を受信し、受信した信号に対し一般的な動作（例えば、フィルタリング、増幅、ダウンコンバートなど）を実行し、サンプルを得るために調整された信号をデジタル化する受信器８０２を備える。復調器８０４は、各シンボル期間に受信されるシンボルを得ることができるほか、チャネルを評価するために、受信したパイロット・シンボルをプロセッサ８０６に提供することができる。
【００４６】
プロセッサ８０６は、受信器コンポーネント８０２によって受信された情報を分析し、かつ／または送信器コンポーネント８１６によって送信する情報の生成を専用で行うプロセッサ、ユーザ・デバイス８００の１または複数のコンポーネントを制御するプロセッサ、および／または受信器８０２によって受信された情報の分析と送信器８１６によって送信する情報の生成との両方を行って、ユーザ・デバイス８００の１または複数のコンポーネントを制御するプロセッサとすることができる。
【００４７】
ユーザ・デバイス８００は、さらにプロセッサ８０６に動作可能に接続され、ユーザ・デバイス８００のＶＡＳに関連する情報、ＶＡＳ内のセクタ、セクタ選択プロトコルおよび／またはアルゴリズム、ユーザ・デバイス８００の公称セクタに関連するスクランブル符号情報、または本願明細書に記載のような高速セクタ選択の実行に関連する他の適切な情報を格納するメモリ８０８を備えることができる。メモリ８０８はさらに、ユーザ・デバイス８００が、本願明細書に記載されたような高速セル選択を達成するために、格納されたプロトコル、アルゴリズム、情報を使用できるように、セクタ識別、指定（例えば、サービング、公称、ＡＭＵＤなど）等に関連する情報を格納できる。さらに、所与のセクタ（例えば、基地局）がユーザ・デバイス８００からの信号の復調を続ける能力に関して、ネットワーク側からの測定によって、メモリ８０８を経時的に更新できる。例えば、コントローラ（図示せず）があれば、ネットワーク内の各ユーザ・デバイス用のＶＡＳを最新のものに維持でき、ユーザ・デバイス８００の現在のサービング・セクタを介してメモリ８０８を更新することができる。さらに、コントローラは、公称セクタなどに割り当てられたスクランブル符号を使用している間などに、ユーザ・デバイス８００とサービング・セクタとの間の通信を容易にするため、ユーザ・デバイス８００に割り当てられたチャネルの情報のほか、公称セクタに割り当てられたリソースに関連する情報をユーザ・デバイス８００のＶＡＳ中のすべてのセクタに提供できる。
【００４８】
当然ではあるが、本願明細書に記載のデータ格納（例えば、メモリ）コンポーネントは、揮発性メモリまたは不揮発性メモリのいずれか、または揮発性メモリおよび不揮発性メモリの両方を含めることができる。例であり、これに制限されないが、不揮発性メモリには、読出し専用メモリ（ＲＯＭ）、書き込み可能ＲＯＭ（ＰＲＯＭ）、電気的書き込み可能ＲＯＭ（electrically programmable ROM：ＥＰＲＯＭ）、電気的消去可能書き込み可能ＲＯＭ（electrically erasable ROM：ＥＥＰＲＯＭ）、またはフラッシュメモリを含めることができる。揮発性メモリには、外部キャッシュメモリとして動作するランダムアクセスメモリ（ＲＡＭ）を含めることができる。例であり、これに制限されないが、ＲＡＭは、同期ＲＡＭ（synchronous RAM：ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクトＲａｍｂｕｓ  ＲＡＭ  （direct Rambus RAM：ＤＲＲＡＭ）のような様々な形式で利用可能である。対象となるシステムおよび方法のメモリ８０８は、これらおよび他の適切なタイプのメモリを備えるものとするが、これらに限定されない。
【００４９】
プロセッサ８０６はさらに、メモリ８０８に格納された情報および／またはプロセッサ８０６によって受信され処理された情報に少なくとも部分的に基づいてセクタ選択を容易にすることができるセクタ・セレクタ８１０に接続される。セクタ・セレクタ８１０は、ビーコン・チャネルＳＩＮＲアナライザ８１２と動作可能なように関連付けることができる。ビーコン・チャネルＳＩＮＲアナライザ８１２は、プロセッサ８０６に接続することもでき、ユーザ・デバイス８００のメモリ８０８に格納されたＶＡＳに含まれる１または複数のセクタ用の信号強度を評価することができる。セクタ・セレクタ８１０は、ＳＩＮＲ分析に基づいて、通信対象のサービング・セクタとして最適なセクタを選択することができる。ユーザ・デバイス８００はさらに、シンボル変調器８１４および前出の様々な図に関連して記載されたように、ユーザ・デバイス８００に使用される公称セクタに関連付けられたスクランブル符号を使用して変調された信号を送信する送信器８１６を備える。このようにして、ＵＭＴＳ  ＴＤＤ通信環境で高速セル選択を実現するために、ユーザ・デバイス８００は、メモリ８０８に格納されたＶＡＳ中のセクタのリストからサービング・セクタを選択することができる。ここにおいて、サービング・セクタは、公称セクタである必要はない。
【００５０】
図９は、本願明細書に記載の１または複数の態様に従った、ＵＭＴＳ  ＴＤＤ無線通信環境での高速セル選択の実行を容易にするシステム９００を示す図である。システム９００は、送信アンテナ９０６および受信アンテナ９０８を介して１または複数のユーザ・デバイス９０４と通信する基地局９０２を備えるが、１または複数の送受信アンテナを様々な態様とともに使用することができる。基地局９０２は、受信アンテナ９０８から情報を受信し、受信した情報を復調する復調器９１２と動作可能に関連付けられる受信器９１０を備える。復調されたシンボルは、図８に関連して上記で説明したプロセッサと同様のプロセッサ９１４によって分析できる。プロセッサ９１４は、メモリ９１６に接続される。メモリ９１６には、ユーザ・デバイス９０４に関連する情報、各ユーザ・デバイス９０４のＶＡＳ、各ＶＡＳ中の公称セクタ、サービング・セクタおよび任意のＡＭＵＤセクタを含めた各ＶＡＳ中のセクタ識別のほか、このセクタ用のスクランブル符号、タイムスロット情報およびその類、リソース割り当て、および／または本願明細書に記載の高速セル選択をユーザ・デバイスが実行するための他の適切な情報が格納される。
【００５１】
プロセッサ９１４はさらに、基地局９０２内の変調器９２０および／または送信器９２２が、ユーザ・デバイス９０４への通信信号を適切に変調し、送信アンテナ９０６を介して送信するために、ＶＡＳアナライザ９１８に接続される。ＶＡＳアナライザ９１８は、ユーザ・デバイスのＶＡＳｓ、ＶＡＳｓへの更新、ユーザ・デバイス９０４に割り当てられたリソース、および／または基地局９０２がリストされている各ユーザ・デバイス中のＶＡＳにリストされたセクタなどに関連する情報を処理することができる。このような情報に基づいて、基地局９０２は、その関連するスクランブル符号を使用して、共通の物理チャネル・リソース（例えば、ＨＳ−ＳＣＣＨおよびＨＳ−ＰＤＳＣＨ）を経由して、ユーザ・デバイス９０４に対して送信することができる。
【００５２】
当然ではあるが、基地局９０２は、任意の所与の時点で、１または複数のユーザ・デバイス９０４のＶＡＳのサービング局、公称局、またはＡＭＵＤ局となることができ、コントローラ（図示せず）からの指示があると、および／またはユーザ・デバイスによってサービング・セクタ局として選択されると、これらの間で切り替わることができる。さらに、基地局９０２は、基地局９０２がリストされているＶＡＳｓを有するすべてのユーザ・デバイスからの信号の受信および復号を試みることができる。さらに、ＶＡＳにリストされているすべてのＡＭＵＤセクタのこのような基地局は、このような各ＡＭＵＤセクタの特定のユーザ・デバイスの公称セクタにおいてのチャネル割り当ておよびリソース割り当てを認識することができる。
【００５３】
図１０は、無線通信システム１０００の例を示している。無線通信システム１０００では、簡略化のため１つの基地局と１つの端末が示されている。しかし、当然ではあるが、システムには、１または複数の基地局および／または１または複数の端末を含めることができ、追加される基地局および／または端末は、以下に記載の例としての基地局および端末とほぼ同様のものとすることも別のものとすることもできる。さらに、当然ではあるが、この基地局および／または端末は、これらの間の無線通信を容易にするために、本願明細書に記載のシステム（図８から図９）および／または方法（図４から図７）を使用することができる。
【００５４】
ここで図１０を参照すると、アクセスポイント１００５でのダウンリンクにおいて、送信（ＴＸ）データ・プロセッサ１０１０は、トラフィック・データを受信し、フォーマットし、符号化し、インタリーブし、変調し（またはシンボルマッピング（symbol maps）し）、変調シンボル（「データ・シンボル」）を提供する。シンボル変調器１０１５は、このデータ・シンボルおよびパイロット・シンボルを受信して処理し、シンボルのストリームを提供する。シンボル変調器１０２０は、データおよびパイロット・シンボルを多重化し、これらを送信器ユニット（ＴＭＴＲ）１０２０に提供する。各送信シンボルは、データ・シンボル、パイロット・シンボル、またはゼロの信号値であればよい。パイロット・シンボルは、各シンボル期間に連続して送られればよい。パイロット・シンボルは、周波数分割多重化（frequency division multiplexed：ＦＤＭ）、直交周波数分割多重化（orthogonal frequency division multiplexed：ＯＦＤＭ）、時分割多重化（Time division multiplexed：ＴＤＭ）、周波数分割多重化（ＦＤＭ）、または符号分割多重化（code division multiplexed：ＣＤＭ）することができる。
【００５５】
ＴＭＴＲ１０２０は、シンボルのストリームを受信して１または複数のアナログ信号に変換し、さらに無線チャネルを通る伝送に適したダウンリンク信号を生成するために、このアナログ信号を調整（例えば、増幅、フィルタリング、周波数アップコンバート）する。次いで、ダウンリンク信号は、アンテナ１０２５を介して端末に送信される。端末１０３０において、アンテナ１０３５は、ダウンリンク信号を受信し、受信した信号を受信器ユニット（ＲＣＶＲ）１０４０に提供する。受信器ユニット１０４０は、サンプルを得るために、受信した信号を調整（例えば、増幅、フィルタリング、周波数ダウンコンバート）し、この調整された信号をデジタル化する。シンボル復調器１０４５は、受信されたパイロット・シンボルを復調し、チャネル評価のためにこれをプロセッサ１０５０に提供する。シンボル復調器１０４５はさらに、プロセッサ１０５０からダウンリンク用の周波数レスポンス推定を受信し、（送信されたデータ・シンボルの推定である）データ・シンボル推定を得るために、受信された信号に対するデータ復調を実行し、ＲＸデータ・プロセッサ１０５５にこのデータ・シンボル推定を提供する。このＲＸデータ・プロセッサ１０５５は、送信されたトラフィック・データを復元するためにデータ・シンボル推定を復調（すなわち、シンボル・デマッピング（symbol demaps））し、デインタリーブし、復号する。シンボル復調器１０４５およびＲＸデータ・プロセッサ１０５５による処理はそれぞれ、アクセスポイント１００５におけるシンボル変調器１０１５およびＴＸデータ・プロセッサ１０１０による処理と相補的である。
【００５６】
アップリンクでは、ＴＸデータ・プロセッサ１０６０がトラフィック・データを処理し、データ・シンボルを提供する。シンボル変調器１０６５は、このデータ・シンボルを受信し、パイロット・シンボルで多重化し、変調を行い、シンボルのストリームを提供する。次いで、送信器ユニット１０７０は、アンテナ１０３５によってアクセスポイント１００５に送信されるアップリンク信号生成するために、このシンボルのストリームを受信し、処理する。
【００５７】
アクセスポイント１００５において、端末１０３０からのアップリンク信号はアンテナ１０３５によって受信され、サンプルを得るために受信器ユニット１０７５によって処理される。次いでシンボル復調器１０８０は、サンプルを処理し、受信されたパイロット・シンボルおよびデータ・シンボルのアップリンク用の評価を提供する。ＲＸデータ・プロセッサ１０８５は、端末１０３５によって送信されたトラフィック・データを復元するため、データ・シンボル評価を処理する。プロセッサ１０９０は、アップリンクで送信している各アクティブの端末用のチャネル評価を行う。多数の端末は、アップリンクにおいてそれぞれの割り当てられたパイロット・サブバンドのセットでパイロットを同時に送信でき、パイロット・サブバンドのセットは組み合わせられてもよい。
【００５８】
プロセッサ１０９０および１０５０は、アクセスポイント１００５および端末１０３０それぞれでの操作を指示（例えば、制御、調整、管理など）する。それぞれのプロセッサ１０９０および１０５０は、プログラム・コードおよびデータを格納するメモリ・ユニット（図示せず）に関連付けることができる。プロセッサ１０９０および１０５０は、アップリンクおよびダウンリンクそれぞれの周波数およびインパルス応答評価を導き出す演算を行うこともできる。
【００５９】
多元接続システム（例えば、ＦＤＭＡ、ＯＦＤＭＡ、ＣＤＭＡ、ＴＤＭＡなど）では、多数の端末が同時にアップリンクで送信することができる。このようなシステムでは、異なる端末間でパイロット・サブバンドを共有することができる。このチャネル評価技術は、各端末のパイロット・サブバンドが動作帯域全体にわたる（場合によってはバンド端を除く）場合に使用すればよい。このようなパイロット・サブバンド構造は、各端末の周波数ダイバーシティを得るためには望ましいであろう。本願明細書に記載の技術は、様々な手段によって実施できる。例えば、これらの技術は、ハードウェア、ソフトウェア、またはそれらの組み合わせに実装されてもよい。ハードウェア実装では、チャネル評価に使用される処理ユニットは、１または複数の特定用途向け集積回路（application specific integrated circuits：ＡＳＩＣｓ）、デジタル信号プロセッサ（digital signal processors：ＤＳＰｓ）、デジタル信号処理デバイス（digital signal processing devices：ＤＳＰＤｓ）、プログラマブル・ロジック・デバイス（programmable logic devices：ＰＬＤｓ）、フィールド・プログラマブル・ゲートアレー（field programmable gate arrays：ＦＰＧＡｓ）、プロセッサ、コントローラ、マイクロコントローラ、マイクロプロセッサ、本願明細書に記載の機能を実行するように設計された他の電子ユニット、またはそれらの組み合わせに実装すればよい。ソフトウェアでは、実装は、本願明細書に記載の機能を実行するモジュール（例えば、プロシージャ、機能など）によって行うことができる。ソフトウェア・コードは、メモリ・ユニットに格納されればよく、プロセッサ１０９０および１０５０によって実行されればよい。
【００６０】
ソフトウェア実装では、本願明細書に記載の機能を実行するモジュール（例えば、プロシージャ、機能など）とともに本願明細書に記載の技術を実装することができる。ソフトウェア・コードは、メモリ・ユニットに格納されればよく、プロセッサによって実行されればよい。メモリ・ユニットは、プロセッサ内部またはプロセッサ外部に実装すればよく、外部に実装される場合、当技術分野で周知の様々な手段を介してプロセッサに通信可能に接続できる。
【００６１】
上記の記載事項は、１または複数の実施形態の例を含むものである。当然ながら、上記の実施形態を記載する目的のためにすべての考えられ得るコンポーネントまたは方法の組み合わせを記載することは不可能であるが、このような実施形態のさらに種々の組み合わせおよび入れ換えが可能であることは、当業者であれば分かることである。したがって、記載された実施形態は、添付の特許請求の範囲の精神および範囲内に収まるこのようなすべての改変、変更および変形を含むものとする。さらに、発明を実施するための最良の形態または特許請求の範囲のいずれかにおいて使用される用語「含む（includes）」の範囲について、用語「備える（comprising）」が特許請求の範囲において遷移語として使用される際に包括的であると解釈されるのと同じく包括的な用語であるものとする。
【図面の簡単な説明】
【００６２】
【図１】エボリューション・データ・オンリー（ＥｖＤＯ）無線通信環境において高速セル選択（ＦＣＳ）が可能になるシステムを示す図である。
【図２】ＵＭＴＳ  ＴＤＤ通信環境におけるセル再選択のためのシステムを示す図である。
【図３】１または複数の実施形態による、多元接続無線通信システムを示す図である。
【図４】１または複数の実施の態様に従って、ＵＭＴＳ  ＴＤＤ無線環境で、仮想アクティブ・セット（ＶＡＳ）を使用して高速セル選択（ＦＣＳ）を可能にする方法を示す図である。
【図５】１または複数の態様に従って、ＶＡＳからのサービング・セクタの選択を容易にする方法を示す図である。
【図６】１または複数の実施形態に従って、ユーザ・デバイスに関連付けられたＶＡＳからのサービング・セクタの選択を容易にするために、ユーザ・デバイスに情報を提供する方法を示す図である。
【図７】１または複数の態様に従って、ユーザ・デバイスが複数のカバレッジ・エリアを横断する例としてのコースを示す図である。
【図８】１または複数の実施形態に従って、ＵＭＴＳ  ＴＤＤ無線通信環境での高速セル選択の実行を容易にするユーザ・デバイスを示す図である。
【図９】１または複数の態様に従って、ＵＭＴＳ  ＴＤＤ無線通信環境での高速セル選択の実行を容易にするシステムを示す図である。
【図１０】本願明細書に記載の様々なシステムおよび方法とともに使用できる無線ネットワーク環境を示す図である。
【図１】
2009506684.tif 000004
【図２】
2009506684.tif 000005
【図３】
2009506684.tif 000006
【図４】
2009506684.tif 000007
【図５】
2009506684.tif 000008
【図６】
2009506684.tif 000009
【図７】
2009506684.tif 000010
【図８】
2009506684.tif 000011
【図９】
2009506684.tif 000012
【図１０】
2009506684.tif 000013
【国際調査報告】
2009506684.tif 000014
2009506684.tif 000015
2009506684.tif 000016